(57)【要約】【課題】コネクタの端子とコネクタ取付対象部材との接続部分を覆うカバー部内部に異物が入り込むことを抑制する。【解決手段】防塵カバー１は、コネクタのハウジング５１０に装着され、ハウジング５１０から突出した端子とコネクタ取付対象部材の導通部分との接続部分を覆うカバー部と、カバー部から突出すると共に、その先端が自由端として構成されて、ハウジング５１０に当接し、カバー部とハウジング５１０との境目部分を覆う庇部３００と、を備える。【選択図】図２
2019169345.tif 000002
【特許請求の範囲】
【請求項１】
コネクタのハウジングに装着され、前記ハウジングから突出した端子とコネクタ取付対象部材の導通部分との接続部分を覆うカバー部と、
前記カバー部から突出すると共に、その先端が自由端として構成されて、前記ハウジングに当接し、前記カバー部と前記ハウジングとの境目部分を覆う庇部と、
を備える、防塵カバー。
【請求項２】
前記庇部は、前記カバー部が前記ハウジングに装着されると、前記ハウジングに撓みつつ当接するように形成されている、
請求項１に記載の防塵カバー。
【請求項３】
前記ハウジングには、嵌合部が形成され、
前記庇部の前記先端には、前記嵌合部に嵌る被嵌合部が形成されている、
請求項１または２に記載の防塵カバー。
【請求項４】
前記カバー部と前記コネクタ取付対象部材との間を封止する封止部を備える、
請求項１から３の何れか一項に記載の防塵カバー。
【請求項５】
請求項１から４のいずれか一項に記載の防塵カバーと、
前記防塵カバーが装着される前記ハウジングと、
前記ハウジングから突出し、前記コネクタ取付対象部材の導通部分に接続される端子と、
を備える、コネクタ。
【請求項６】
前記カバー部及び前記ハウジングの一方には、係止部が形成され、
前記カバー部及び前記ハウジングの他方には、前記係止部が係止する被係止部が形成されている、
請求項５に記載のコネクタ。
【請求項７】
前記カバー部及び前記ハウジングの一方には、前記ハウジングに前記カバー部が装着されるために前記ハウジングに対して前記カバー部が移動する装着方向に沿って延びるガイド部が形成され、
前記カバー部及び前記ハウジングの他方には、前記ガイド部が嵌合するガイド溝が形成されている、
請求項５または６に記載のコネクタ。
【発明の詳細な説明】
【技術分野】
【０００１】
本発明は、防塵カバー、及びコネクタに関する。
【背景技術】
【０００２】
コネクタの端子とコネクタ取付対象部材である基板との接続部分にゴミ等の異物が付着しないように、コネクタにカバーを設けることがある。特許文献１には、絶縁ハウジングと、絶縁ハウジングに取り付けられ、端子と基板との接続部分を覆うカバー部と、を備えたコネクタが開示されている。カバー部は、絶縁ハウジングに回動可能に支持されている。コネクタを基板に実装した後、カバー部を所定の位置まで回動させることにより、端子と基板との接続部分がカバー部に覆われる。
【先行技術文献】
【特許文献】
【０００３】
【特許文献１】特許第４０２８４９７号公報
【発明の概要】
【発明が解決しようとする課題】
【０００４】
特許文献１に示されるように、このコネクタにおいては、カバー部を所定の位置まで倒したときに、カバー部と絶縁ハウジングとの間に隙間が空くため、この隙間より小さな異物であれば、カバー部内部に入り込むことが想定される。例えば、特許文献１に記載のコネクタが取り付けられた基板の近くに、金属からなる回転物が配置されている場合、回転物から金属粉といった細かい異物が発生し、隙間からカバー部内部に入り込み、金属粉が端子に付着して、端子間で短絡が発生するおそれがある。このように、特許文献１の構成では、カバー部内部に異物が入り込むことを十分に防止することができない。
【０００５】
本発明は、上記実情に鑑みなされたものであり、コネクタの端子とコネクタ取付対象部材との接続部分を覆うカバー部内部に異物が入り込むことを抑制することができる防塵カバー、及びコネクタを提供することを目的とする。
【課題を解決するための手段】
【０００６】
上記目的を達成するために、本発明の第１の観点に係る防塵カバーは、
コネクタのハウジングに装着され、前記ハウジングから突出した端子とコネクタ取付対象部材の導通部分との接続部分を覆うカバー部と、
前記カバー部から突出すると共に、その先端が自由端として構成されて、前記ハウジングに当接し、前記カバー部と前記ハウジングとの境目部分を覆う庇部と、
を備える。
【０００７】
前記庇部は、前記カバー部が前記ハウジングに装着されると、前記ハウジングに撓みつつ当接するように形成されているとよい。
【０００８】
前記ハウジングには、嵌合部が形成され、
前記庇部の前記先端には、前記嵌合部に嵌る被嵌合部が形成されているとよい。
【０００９】
前記カバー部と前記コネクタ取付対象部材との間を封止する封止部を備えるとよい。
【００１０】
上記目的を達成するために、本発明の第２の観点に係るコネクタは、
上記に記載の防塵カバーと、
前記防塵カバーが装着される前記ハウジングと、
前記ハウジングから突出し、前記コネクタ取付対象部材の導通部分に接続される端子と、
を備える。
【００１１】
前記カバー部及び前記ハウジングの一方には、係止部が形成され、
前記カバー部及び前記ハウジングの他方には、前記係止部が係止する被係止部が形成されているよとい。
【００１２】
前記カバー部及び前記ハウジングの一方には、前記ハウジングに前記カバー部が装着されるために前記ハウジングに対して前記カバー部が移動する装着方向に沿って延びるガイド部が形成され、
前記カバー部及び前記ハウジングの他方には、前記ガイド部が嵌合するガイド溝が形成されているとよい。
【発明の効果】
【００１３】
本発明では、庇部が、カバー部とハウジングとの境目部分を覆う。このため、コネクタの端子とコネクタ取付対象部材との接続部分を覆うカバー部内部に異物が入り込むことを抑制することができる。
【図面の簡単な説明】
【００１４】
【図１】防塵カバーが取り付けられた状態のオスコネクタと、メスコネクタとを、メスコネクタのケーブルが引き出されている側から見た斜視図である。
【図２】オスコネクタと、オスコネクタに取り付けられていない状態の防塵カバーの斜視図である。
【図３】防塵カバーの斜視図である。
【図４】カバー部と、カバー部に取り付けられていない状態の封止部の斜視図である。
【図５】（ａ）は、図４のＩＶａから見たカバー部の正面図である。（ｂ）は、図４のＩＶｂから見たカバー部の背面図である。（ｃ）は、図４のＩＶｃから見たカバー部の側面図である。（ｄ）は、図４のＩＶｅから見たカバー部の底面図である。
【図６】（ａ）は、防塵カバーを取り付けた状態のオスコネクタを図１のＩａから見た側面図である。（ｂ）は、（ａ）中のＡ−Ａ線で切断したオスコネクタ及び防塵カバーの断面図である。
【図７】（ａ）は、オスコネクタに取り付けられた防塵カバーを図１のＩｂから見た正面図である。（ｂ）は、（ａ）中のＢ−Ｂ線で切断したオスコネクタ及び防塵カバーの断面図である。（ｃ）は、（ａ）中のＣ−Ｃ線で切断したオスコネクタ及び防塵カバーの断面図である。
【図８】（ａ）は、図４のＩＶｃから見た封止部の側面図である。（ｂ）は、図４のＩＶｄから見た封止部の平面図である。（ｃ）は、図４のＩＶｅから見た封止部の底面図である。
【図９】変形例１に係る防塵カバーの斜視図である。
【図１０】変形例１に係る防塵カバーの背面図である。
【図１１】（ａ）は、変形例１に係るカバー部の正面図であり、（ｂ）は、背面図であり、（ｃ）は、底面図である。
【図１２】変形例１の防塵カバーをオスコネクタに取り付けた状態におけるオスコネクタ及び防塵カバーの断面図である。
【発明を実施するための形態】
【００１５】
実施の形態．
以下、図面を参照しながら本発明の実施の形態を説明する。図面には、相互に直交するＸＹＺ座標を設定し、適宜参照する。ＸＹＺ座標のＹ軸方向は、図１に示すように、コネクタ５００に対して相手側コネクタ６００が嵌合するために移動する嵌合方向Ｄ１と同一の方向である。Ｚ軸方向は、コネクタ５００の取付対象部材の一つである基板７００の厚み方向と同一の方向である。Ｘ軸方向は、Ｙ軸方向及びＺ軸方向の双方向に直交する方向である。
【００１６】
図１に示すように、コネクタユニット１０は、例えば、自動車に装備される電子回路部品同士を電気的に接続するために用いられる。コネクタユニット１０は、実施の形態に係るコネクタ５００と、相手側コネクタ６００とを備える。
【００１７】
コネクタ５００は、基板７００に取り付けられるオスコネクタである。コネクタ５００は、ハウジング５１０と、端子５２０と、コネクタ５００のハウジング５１０から露出した端子５２０に異物が付くのを防ぐ防塵カバー１とを備える。
【００１８】
図２に示すように、ハウジング５１０は、樹脂等の絶縁性の素材により形成され、Ｙ軸方向を筒軸方向とする略四角筒状に形成されて相手側コネクタ６００を収容する端子収容空間５１０ａを規定する略箱形状の部材である。ハウジング５１０から端子５２０が露出する側（＋Ｙ側）には、ハウジング５１０の側壁から延長した、防塵カバー１が取り付けられる取付部５１０ｂ、５１０ｃが形成されている。また、ハウジング５１０は、係止部５１１と、ガイド溝５１２と、固定金具５１３とを含む。
【００１９】
係止部５１１は、防塵カバー１がコネクタ５００に取り付けられたときに、防塵カバー１の被係止部１２０の下縁１２０ａに係止する部材である。係止部５１１は、取付部５１０ｂ、５１０ｃの、防塵カバー１と当接する面にそれぞれ形成されている。図示する例では、係止部５１１の一方は、取付部５１０ｂの＋Ｘ側の面に形成され、他方は取付部５１０ｃの−Ｘ側の面に形成されている。
【００２０】
ガイド溝５１２は、図２に示すように、防塵カバー１のガイド部１４０が嵌合する溝として、取付部５１０ｂ、５１０ｃの係止部５１１が形成されている面とは反対の面にそれぞれＺ軸方向に沿って延びるように形成されている。図示する例では、ガイド溝５１２の一方は、取付部５１０ｂの−Ｘ側の面に形成され、他方は取付部５１０ｃの＋Ｘ側の面に形成されている。
【００２１】
固定金具５１３は、コネクタ５００を基板７００に固定するための部材であり、ほぼ直角に折り曲げられた、Ｌ字状の板状の金属の部材からなる。図１、２に示す例では、固定金具５１３は、基板７００の実装面（＋Ｚ側の面）に平行な板部と、ハウジング５１０の側面（ＺＹ平面）に平行な板部とを含む。固定金具５１３は、ハウジング５１０の側面外側に形成された溝５１０ｄに挿入されることにより、ハウジング５１０に取り付けられる。固定金具５１３が基板７００の取り付け部７０２にはんだ付けされることで、コネクタ５００が基板７００に固定される。
【００２２】
端子５２０は、金属の素材により形成されている。図７（ｃ）に示すように、端子５２０の＋Ｙ側の先端５２０ａは、ハウジング５１０の＋Ｙ側の後端面から突出して露出している。端子５２０の先端５２０ａは、はんだ付けにより、基板７００の上側（＋Ｚ側）の面に露出する基板７００の接点７０１に接続されている。端子５２０の−Ｙ側の先端５２０ｂは、端子収容空間５１０ａに突出している。
【００２３】
図１、２に示すように、防塵カバー１は、コネクタ５００の端子５２０の＋Ｙ側の先端５２０ａに取り付けられ、端子５２０と基板７００（コネクタ取付対象部材）の接点７０１との接続部分を覆う。図３に示すように、防塵カバー１は、カバー部１００と、封止部２００と、庇部３００とを含む。図４に示すように、カバー部１００と封止部２００とはそれぞれ別の部品から構成されている。封止部２００は、カバー部１００に着脱可能な部品である。カバー部１００と庇部３００とは一体的に形成されている。
【００２４】
カバー部１００は、絶縁性の樹脂から形成され、射出形成することにより、庇部３００と共に一体的に形成されている部材である。カバー部１００は、上板１１１と、上板１１１の両端に接続されている側板１１２及び１１３と、上板１１１の＋Ｙ側の端面と側板１１２、１１３のそれぞれの＋Ｙ側の端面とに接続されている前板１１４とを含む。
【００２５】
被係止部１２０は、側板１１２、１１３にそれぞれ形成された縦長の開口（Ｚ軸方向に長い開口）を含む。被係止部１２０は、後述するコネクタ５００の係止部５１１が係止する部分である。図１、図６（ａ）、（ｂ）に示すように、コネクタ５００の係止部５１１が被係止部１２０の下縁１２０ａに係止することにより、防塵カバー１がコネクタ５００に固定される。図２に示すように、防塵カバー１は、コネクタ５００の上から装着方向Ａ１に向かって、コネクタ５００に被せられる。このため、被係止部１２０は、縦長の開口として構成されている。
【００２６】
図５（ｂ）、（ｄ）に示すように、前板１１４の内側面には、封止部２００が嵌め込まれる空間である凹部１３１が形成されている。凹部１３１の幅（Ｘ軸方向の長さ）は、封止部２００の幅（Ｘ軸方向の長さ）とほぼ同じである。図７（ｂ）に示すように、凹部１３１の高さ（Ｚ軸方向の長さ）は、封止部２００の高さ（Ｚ軸方向の長さ）よりやや短く、凹部１３１の奥行（Ｙ軸方向の長さ）は、封止部２００の厚み（Ｙ軸方向の長さ）よりやや短く設定されている。
【００２７】
図４、５に示すように、固定ピン用孔１３２は、前板１１４に形成された４つの貫通孔から構成される。固定ピン用孔１３２には、後述の封止部２００の固定ピン２２０が挿入される。固定ピン用孔１３２は、Ｘ軸方向に沿って等間隔に形成されている。図４に示すように、封止部２００の固定ピン２２０は、矢印Ｄ２の方向に固定ピン用孔１３２に挿入され、固定ピン用孔１３２に係止する。このようにして、封止部２００がカバー部１００に固定される。
【００２８】
図５（ｂ）に示すように、ガイド部１４０は、カバー部１００に一体的に形成され、防塵カバー１がハウジング５１０に取り付けられる際に、カバー部１００が移動する図２の装着方向Ａ１に沿って延びた一対の部材を含む。ガイド部１４０は、図５（ｄ）に示すように、横断面がＴ字形状として構成されている。ガイド部１４０は、Ｔ字の横棒がＹ軸方向に平行となるよう配置され、Ｔ字の横棒の一方の端は、前板１１４の内側面に接続されている。図６（ｂ）、図７（ｂ）に示すように、防塵カバー１がコネクタ５００に取り付けられているとき、ガイド部１４０のＴ字の縦棒部分が、図２に示すハウジング５１０に形成された一対のガイド溝５１２にそれぞれ嵌合する。
【００２９】
ガイド部１４０は以下のような理由のため設けられている。図６（ｂ）に示すように、防塵カバー１がコネクタ５００のハウジング５１０に取り付けられると、ガイド部１４０は、ガイド溝５１２に圧入される。これにより、図７（ｂ）に示すように、防塵カバー１のハウジング５１０に対するＹ軸方向における位置が規定される。よって、図６（ａ）に示す係止部５１１のＹ軸方向の移動が抑制され、係止部５１１のがたつきを抑えることができる。また、図６（ｂ）に示すように、ハウジング５１０に装着された防塵カバー１のＸ軸方向の移動が抑制され、防塵カバー１ががたつかない。
【００３０】
図４に示すように、カバー部１００には、４つの肉抜き部１５０が形成されている。
【００３１】
封止部２００は、防塵カバー１がコネクタ５００に装着されるのに先だって、カバー部１００に取り付けられる。矢印Ｄ２は、封止部２００を取り付ける方向を示す。封止部２００は、カバー部１００と基板７００との間を封止する部材である。封止部２００は、本体部２１０と、固定ピン２２０とを含む。
【００３２】
図４、８に示すように、本体部２１０は、略角柱形状に形成されている。図７（ｂ）に示すように、本体部２１０の前面２１１は、封止部２００がカバー部１００に取り付けられたときに、カバー部１００の前板１１４の凹部１３１の面１３１ａに当接する。上面２１３は、防塵カバー１がコネクタ５００に装着されると、カバー部１００の凹部１３１の面１３１ｂに当接する。下面２１２は、防塵カバー１がコネクタ５００に装着されると、基板７００に当接する。
【００３３】
封止部２００の本体部２１０の前面２１１の下側（−Ｚ側）には、＋Ｙ方向に突出する凸部２１５が形成されている。図４、図８（ａ）、（ｂ）に示すように、凸部２１５は、カバー部１００に装着された封止部２００のずれを防止するため、Ｘ軸方向に延設されている。図７（ｂ）に示すように、防塵カバー１が、基板７００上のコネクタ５００のハウジング５１０に取り付けられた状態では、前板１１４の下端（−Ｚ側の端）が凸部２１５を−Ｚ方向（基板７００側）に沿って押圧する。この結果、カバー部１００に装着された封止部２００がずれることを防止することができる。
【００３４】
図８（ｃ）に示すように、封止部２００の本体部２１０の下面２１２には、異物が防塵カバー１内部に侵入するのを防止するため、下面２１２から下方に突出する凸部２１６がＸ軸方向に延設されている。防塵カバー１がコネクタ５００に装着されると、封止部２００は、カバー部１００と基板７００との間に挟まれ、圧縮される。凸部２１６が下面２１２から突出していることにより、封止部２００は、カバー部１００と基板７００との間を隙間なく封止することができる。
【００３５】
図４、８に示すように、封止部２００の本体部２１０の前面２１１には、封止部２００をカバー部１００に固定するための固定ピン２２０が形成されている。図４に示すように、固定ピン２２０は、カバー部１００の固定ピン用孔１３２に矢印Ｄ２の方向に挿入され、固定ピン用孔１３２に係止する。
【００３６】
図８（ａ）、（ｂ）に示すように、固定ピン２２０は、略円錐形状に形成された円錐部分２２１と、円錐部分２２１と本体部２１０とを接続する軸部分２２２とを有する。円錐部分２２１の先端部の直径ｒ１は、図５（ａ）に示す固定ピン用孔１３２の直径Ｒより小さく形成されている。さらに、図８（ａ）〜（ｃ）に示すように、円錐部分２２１が、テーパ形状に形成されていることにより、固定ピン用孔１３２への固定ピン２２０をスムーズに挿入することが可能である。
【００３７】
円錐部分２２１の最も太い部分の直径ｒ２は、図５（ａ）に示す固定ピン用孔１３２の直径Ｒより大きく形成されている。これは、図３、４に示すように、固定ピン２２０が、その先端部分から、固定ピン用孔１３２に挿入され、図７（ｃ）に示すように、軸部分２２２が固定ピン用孔１３２に到達すると、固定ピン２２０が、固定ピン用孔１３２から抜けることを防止するためである。
【００３８】
図８（ｂ）に示す軸部分２２２の直径ｒ３は、図５（ａ）に示す固定ピン用孔１３２の直径Ｒよりやや大きく形成されている。図７（ｃ）に示すように、軸部分２２２が固定ピン用孔１３２に挿入されている状態では、軸部分２２２が圧縮されるので、固定ピン用孔１３２から防塵カバー１の内部に異物が侵入することを防ぐことができる。
【００３９】
図３、４に示すように、庇部３００は、カバー部１００の上板１１１から、−Ｙ方向に向かって延びている。庇部３００は、図２に示すように、カバー部１００とコネクタ５００のハウジング５１０との境目部分Ｂを覆う部材である。図５（ｃ）に示すように、庇部３００は、水平方向ではなく、水平方向よりやや下側（−Ｚ側）に向かって延びるように形成されている。さらに、庇部３００の先端部分は自由端として、撓み可能に形成されている。
【００４０】
図７（ｂ）、（ｃ）に示すように、防塵カバー１がコネクタ５００のハウジング５１０に取り付けた状態では、庇部３００は、コネクタ５００のハウジング５１０の上面に当接する。庇部３００が、水平方向よりやや下側（−Ｚ側）に向かって延び、かつ撓み可能に構成されていることにより、カバー部１００とハウジング５１０の上面との境目において、隙間なく防塵カバー１をコネクタ５００に取り付けることが可能である。
【００４１】
図１に示すように、相手側コネクタ６００は、メス端子（不図示）に接続されたケーブル６０１が引き出されているメスコネクタである。相手側コネクタ６００は、嵌合方向Ｄ１の方向にコネクタ５００の端子収容空間５１０ａに挿入される。相手側コネクタ６００の一部がコネクタ５００の端子収容空間５１０ａに収容されることにより、コネクタ５００と相手側コネクタ６００とが嵌合する。
【００４２】
なお、相手側コネクタ６００は、コネクタ５００に対応する構成を備えていればよい。図１に示すメスコネクタの構成は、一例であり、相手側コネクタ６００のケーブル本数、ハウジング形状等は、適宜変更可能である。
【００４３】
基板７００は、接点７０１、取り付け部７０２が露出する＋Ｙ側の表側の面と、接点７０１が設けられていない裏側の面とを有するプリント基板である。基板７００には、コネクタ５００が取り付けられる。
【００４４】
防塵カバー１の製作方法の一例を説明する。
【００４５】
先ず、防塵カバー１を制作する作業者は、図４に示すようなカバー部１００と庇部３００との一体成型品を準備する。この一体成型品は、射出形成することにより製造される。併せて、封止部２００を準備する。
【００４６】
カバー部１００と庇部３００との一体成型品に対して、封止部２００を矢印Ｄ２方向に移動させ、前板１１４の内側の面に押し当てる。このとき、固定ピン２２０を固定ピン用孔１３２に挿入する。固定ピン２２０が固定ピン用孔１３２に挿入されることにより、図３に示すように、当該一体成型品と封止部２００とが組み合わせられた防塵カバー１が完成する。
【００４７】
防塵カバー１のコネクタ５００への取り付けは、次のように行う。図１及び図２を参照するとわかるように、あらかじめ、固定金具５１３と端子５２０が取り付けられたコネクタ５００の固定金具５１３を基板７００上の取り付け部７０２に、端子５２０を基板７００上の接点７０１にそれぞれはんだ付けしておく。この状態で、図２に示すように、コネクタ５００の上から、装着方向Ａ１に沿って、防塵カバー１をコネクタ５００に被せる。このとき、図２に示すように、係止部５１１が、被係止部１２０の開口に嵌るように、Ｘ軸上及びＹ軸上における被係止部１２０と係止部５１１の位置を相互に合わせて、防塵カバー１を装着方向Ａ１方向に移動させて、コネクタ５００に被せる。防塵カバー１を移動させていくと、防塵カバー１の側板１１２及び１１３の内側の面が、係止部５１１の傾斜面に沿って導かれ、防塵カバー１が所定の位置まで移動すると、図１、６に示すように、係止部５１１が下縁１２０ａに係止する。このようにして、図１に示すように、防塵カバー１はコネクタ５００に取り付けられる。
【００４８】
防塵カバー１がコネクタ５００に取り付けられ、係止部５１１が被係止部１２０に係止することにより、図７（ｂ）、（ｃ）のように、封止部２００が基板７００に押圧される。従って、異物が防塵カバー１の外から内部に入り込むことを防止することができる。以上が実施の形態に係る防塵カバー１の説明である。
【００４９】
以上、説明したように、本実施の形態では、カバー部１００とハウジング５１０との境目部分Ｂを覆う庇部３００を設け、庇部３００が撓みつつハウジング５１０に当接するので、カバー部１００とハウジング５１０との境目部分Ｂからの異物の侵入を抑制することができる。
【００５０】
また、本実施の形態では、防塵カバー１は、カバー部１００と基板７００との間を封止する封止部２００を備える。この封止部２００により、カバー部１００と基板７００との隙間が塞がれるため、防塵カバー１の内部への異物の侵入を抑制することができる。
【００５１】
また、本実施の形態では、ハウジング５１０の係止部５１１を防塵カバー１の被係止部１２０に係止させることにより、封止部２００を基板７００に押圧して圧縮するように構成されている。これにより、防塵カバー１の内部への異物の侵入を抑制する効果をより高めることができる。
【００５２】
また、本実施の形態では、カバー部１００のガイド部１４０が、ハウジング５１０のガイド溝５１２に嵌合している。これにより、前述のように、ハウジング５１０に取り付けられた防塵カバー１の位置がずれることが抑制される。よって、防塵カバー１のがたつき防止となる。さらに、ハウジング５１０に当接する庇部３００の撓みに対する反力により、ハウジング５１０に取り付けられた防塵カバー１が持ち上がることを抑止することができる。
【００５３】
以上、本発明の実施の形態について説明したが、本発明は上記実施の形態によって限定されるものではない。
【００５４】
変形例１．
上記実施の形態においては、図２、図３に示すように、カバー部１００とコネクタ５００のハウジング５１０との境目部分Ｂを覆う庇部３００の先端が平坦な例について説明した。庇部３００の先端は、カバー部１００とハウジング５１０との境目部分Ｂからの異物の侵入を抑制することができる形状であれば限定されない。以下、庇部３００の構成が異なる変形例１に係る防塵カバー２について図９〜図１２を参照して説明する。変形例１に係る防塵カバー２は、封止部２０１が、カバー部１０１に一体的に形成されている。なお、以下の変形例１では、実施の形態と同様の構成については説明を省略し、実施の形態と異なる点を主に説明する。なお、図１２は、図７（ａ）中のＣ−Ｃ線と同様の位置で、オスコネクタ及び防塵カバー２を切断した断面図である。
【００５５】
図９、１０に示すように、防塵カバー２は、カバー部１０１と、封止部２０１と、庇部３０１とを含む。カバー部１０１における、封止部２０１が配置される位置は、実施の形態とほぼ同じである。しかし、図９、１０に示すように、変形例１においては、カバー部１０１と、封止部２０１とは、インサート成形により一体となるように形成されたインサート成形品から構成される。このため、カバー部１０１から封止部２０１を取り外すことはできない。
【００５６】
図１１に示すように、実施の形態とは異なり、カバー部１０１の前板１１４には固定ピン用孔が形成されていない。カバー部１０１の前板１１４の下側（−Ｚ側）の一部は、封止部２０１の幅と同じ程度の幅で、肉抜き部１５０に干渉しない程度の高さに切り取られている。封止部２０１が設けられる箇所には、前板１１４の下端から延びた板状の部材として、ベース部１３４が形成されている。このベース部１３４に、インサート成形により封止部２０１が形成される。さらに、ベース部１３４には、４つの貫通孔１３４ａが設けられている。これは、インサート成形により、封止部２０１の材料が貫通孔１３４ａに充填される。よって、封止部２０１がカバー部１０１から脱落することを予防することができる。
【００５７】
また、図９に示すように、実施の形態と異なる構成として、庇部３０１の先端の−Ｚ側には、被嵌合部として機能する凸部３１０が形成されている。また、図１２に示すように、ハウジング５１０の、庇部３０１の先端が当接する位置には、凸部３１０が嵌る嵌合部として機能する凹部５１４が形成されている。このような構成を備えることで、防塵カバー２が、ハウジング５１０に取り付けられたときに、庇部３０１の位置ズレを防止することができる。さらに、庇部３０１に凸部３１０が設けられているため、凸部３１０とハウジング５１０との当接の確実性が向上し、ハウジング５１０と庇部３０１の先端部分との境目から異物が侵入することを抑制できる。なお、ハウジング５１０に凹部５１４が設けられていない場合であっても、庇部３０１が凸部３１０を有することにより、ハウジング５１０と庇部３０１の先端部分との境目からの異物の侵入の抑制する効果を得ることができる。
【００５８】
以上、説明したように、変形例１では、カバー部１０１の庇部３０１の先端に、ハウジング５１０に形成された凹部５１４に嵌まる凸部３１０を設けることで、防塵カバー２が、ハウジング５１０に取り付けられたときに、庇部３０１の位置ズレを防止することができ、かつ、ハウジング５１０と庇部３０１の先端部分との境目からの異物の侵入の抑制することができる。
【００５９】
また、本変形例１においても、図１２に示すように、防塵カバー２の封止部２０１により、カバー部１０１と基板７００との隙間が塞がれるため、防塵カバー２の内部への異物の侵入を抑制することができる。従って、変形例１においても、実施の形態、変形例１と同様の効果を得ることができる。
【００６０】
また、変形例１では、カバー部１０１と封止部２０１とを、一体に形成されたインサート成形品とするため、実施の形態に係る構成に比べ、防塵カバー２をコンパクトに構成することができる。
【００６１】
変形例２．
上記変形例１では、庇部３０１の先端に被嵌合部として機能する凸部３１０が形成され、ハウジング５１０における庇部３０１の先端が当接する位置には、凸部３１０が嵌る嵌合部として機能する凹部５１４が形成される例について説明した。庇部３０１に形成される被嵌合部とハウジング５１０に形成される嵌合部とは互いに嵌まる形状であればよく、庇部３０１の先端に被嵌合部として機能する凹部が形成され、ハウジング５１０に嵌合部として機能する凸部が形成されてもよい。また、庇部３００に凸凹部が形成され、庇部３００に形成された凸凹部に嵌る凸凹部がハウジング５１０に形成されてもよい。
【００６２】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６３】
１，２：防塵カバー、１０：コネクタユニット、１００，１０１：カバー部、１１１：上板、１１２，１１３：側板、１１４：前板、１２０：被係止部、１２０ａ：下縁、１３１，１３３：凹部、１３１ａ，１３１ｂ：面、１３２：固定ピン用孔、１３４：ベース部、１３４ａ：貫通孔、１４０：ガイド部、１５０：肉抜き部、２００，２０１：封止部、２１０：本体部、２１１：前面、２１２：下面、２１２，２１５，２１６，３１０：凸部、２１３：上面、２１４：背面、２２０：固定ピン、２２１：円錐部分、２２２：軸部分、３００，３０１：庇部、５００：コネクタ、５１０：ハウジング、５２０：端子、５１０ａ：端子収容空間、５１０ｂ，５１０ｃ：取付部、５１１，５１５：係止部、５１２：ガイド溝、５１３：固定金具、５１４：凹部、６００：相手側コネクタ、６０１：ケーブル、７００：基板、７０１：接点、Ｒ，ｒ１，ｒ２，ｒ３：直径。
【図１】
2019169345.tif 000003
【図２】
2019169345.tif 000004
【図３】
2019169345.tif 000005
【図４】
2019169345.tif 000006
【図５】
2019169345.tif 000007
【図６】
2019169345.tif 000008
【図７】
2019169345.tif 000009
【図８】
2019169345.tif 000010
【図９】
2019169345.tif 000011
【図１０】
2019169345.tif 000012
【図１１】
2019169345.tif 000013
【図１２】
2019169345.tif 000014